(57)【特許請求の範囲】
【請求項１】
信号の入力端子及び出力端子が設けられた基板と、当該基板に着脱可能に取り付けられる第１のレベル調整手段が設けられたアクセサリとを有する信号レベル調整装置であって、
前記基板には、第２のレベル調整手段と、当該第２のレベル調整手段に電気的に接続された２つの導電部を有する当接部材と、当該当接部材の一方の導電部が前記入力端子に電気的に接続され、かつ前記当接部材の他方の導電部が出力端子に電気的に接続されるように前記当接部材を付勢する付勢部材とが設けられ、
アクセサリには離脱部材が設けられており、
前記アクセサリが前記基板に取り付けられている場合には、当該アクセサリの離脱部材が前記当接部材に当接して、前記付勢部材の付勢力に抗って当接部材の導電部それぞれを前記入力端子及び出力端子から離脱させるとともに、前記入力端子に入力された信号は第１のレベル調整手段により所定のレベルに調整して前記出力端子から出力されるように構成され、
前記アクセサリが前記基板から取り外された場合には、前記付勢部材の付勢力により前記当接部材の一方の導電部が前記入力端子に接続され、かつ前記当接部材の他方の導電部が出力端子に電気的に接続されるとともに、前記入力端子に入力された信号は当接部材の導電部を介して、第２のレベル調整手段により所定のレベルに調整して前記出力端子から出力されるように構成されていることを特徴とする信号レベル調整装置。
【発明の詳細な説明】
【０００１】
【発明の属する技術分野】
本発明は、ケーブルテレビ等の高周波伝送システムに用いられる信号レベル調整装置に関し、特に、信号レベル調整時に減衰器を備えたアクセサリを交換している間でも信号の停止を無くすことができる信号レベル調整装置に関する。
【０００２】
【従来の技術】
一般に、ケーブルテレビ等の高周波伝送システムでは、送信側と受信側との間の同軸ケーブルの距離の差に応じて光伝送装置や増幅器に受信される信号のレベルに差が生じるので、信号レベルを一定に保持するように調整する必要がある。
【０００３】
従来の信号レベル調整装置としては、信号調整用アクセサリ、ＰＩＮ−ＡＴＴ（可変減衰器）、連続可変型減衰器等が知られている。
【０００４】
信号調整用アクセサリでは、入力端子に入力された信号を所定のレベルに減衰して出力端子から出力する減衰器を備えたアクセサリを、入力端子及び出力端子から抜いて別のアクセサリに交換することにより、信号レベルの調整を行う。
【０００５】
ＰＩＮ−ＡＴＴでは、ＰＩＮダイオードに印加する電圧を変化させることによって信号の減衰量を変化させて、信号レベルの調整を行う。
【０００６】
連続可変型減衰器では、抵抗値を変化させることによって信号の減衰量を変化させて、信号レベルの調整を行う。
【発明が解決しようとする課題】
しかし、信号調整用アクセサリの場合、アクセサリを交換している間は信号伝送が停止するので、情報伝送サービスを一時中断しなければならない。そのため、信号レベル調整の保守、点検や改修工事等を行うのは、夜間のように情報伝送サービスの提供の要求が少ない時間帯に限定され、システムの運用費用及び保守点検費用が高くなる。
【０００７】
また、ＰＩＮ−ＡＴＴの場合、信号調整時に部品を抜き差しする必要がないため信号停止の問題はないが、信号の挿入損失の増加により雑音指数が劣化したり、信号レベルが高い場合に歪み特性に悪影響を与える。また、電源を必要とするため、構成が複雑になり、コストアップになる。
【０００８】
さらに、連続可変型減衰器の場合、信号調整時に部品を抜き差しする必要がないため信号停止の問題はなく、かつ電源を必要としないが、信号レベル調整時に、減衰量の値がいくつであるのかを管理することが非常に困難であり、保守・点検時や障害発生時における作業に手間がかかる。
【０００９】
本発明は、上記課題を解決するためになされたものであり、電気的性能に悪影響を与えることなく、低コストで信号レベル調整時の信号停止を無くすことができる信号レベル調整装置を提供することを目的とする。
【００１０】
【課題を解決するための手段】
本発明の信号レベル調整装置は、信号の入力端子及び出力端子が設けられた基板と、当該基板に着脱可能に取り付けられる第１のレベル調整手段が設けられたアクセサリとを有する信号レベル調整装置であって、
前記基板には、第２のレベル調整手段と、当該第２のレベル調整手段に電気的に接続された２つの導電部を有する当接部材と、当該当接部材の一方の導電部が前記入力端子に電気的に接続され、かつ前記当接部材の他方の導電部が出力端子に電気的に接続されるように前記当接部材を付勢する付勢部材とが設けられ、アクセサリには離脱部材が設けられており、前記アクセサリが前記基板に取り付けられている場合には、当該アクセサリの離脱部材が前記当接部材に当接して、前記付勢部材の付勢力に抗って当接部材の導電部それぞれを前記入力端子及び出力端子から離脱させるとともに、前記入力端子に入力された信号は第１のレベル調整手段により所定のレベルに調整して前記出力端子から出力されるように構成され、前記アクセサリが前記基板から取り外された場合には、前記付勢部材の付勢力により前記当接部材の一方の導電部が前記入力端子に接続され、かつ前記当接部材の他方の導電部が出力端子に電気的に接続されるとともに、前記入力端子に入力された信号は当接部材の導電部を介して、第２のレベル調整手段により所定のレベルに調整して前記出力端子から出力されるように構成されていることを特徴とするものである。
【００１１】
上記の付勢部材は、当接部材の導電部と第２のレベル調整手段とを電気的に接続するために導電性を有する物質で作られたバネであってもよい。
【００１２】
本発明によれば、信号レベル調整するためにアクセサリを交換している間、入力端子から入力された信号は、当接部材の導電部、付勢部材を通り、第２のレベル調整手段によって所定のレベルに調整して出力端子から出力されるので、信号の停止を無くすことができる。
【００１３】
【発明の実施の形態】
以下、本発明の実施の形態を図面を参照しながら説明する。図１は、アクセサリを基板に取り付けた状態を示す本発明の信号レベル調整装置の構成を示す説明図であり、（Ａ）はその側面図、（Ｂ）はその正面図、（Ｃ）は当接部材を示す平面図、図２は、アクセサリを基板から取り外した状態を示す本発明の信号レベル調整装置の構成を示す説明図である。
【００１４】
図１（Ａ）〜（Ｃ）及び図２に示すように、本発明の信号レベル調整装置は、基板１と、その基板１に着脱可能に取り付けられるアクセサリ６とを有する。
【００１５】
基板１には所定間隔を隔てて入力端子２及び出力端子３が固定して設けられており、入力端子２及び出力端子３の間には２つのガイドソケット１１が固定して設けられている。
【００１６】
基板１上にはアクセサリ６を基板１から取り外したときに、入力端子２に入力された信号を所定のレベルに減衰して出力端子３から出力するための、第２のレベル調整手段の一例となる補助減衰器７が設けられている。基板１の裏面側には、一方端が補助減衰器７に取り付けられ、断面略Ｕ字状に形成された２つの付勢部材１０、１０が設けられている。付勢部材１０は、導電性及び弾力性を有する物質で作られた板バネからなる。
【００１７】
付勢部材１０の他方端には板状の当接部材８が取り付けられている。当接部材８は、図１（Ｃ）に示すように、導電体で作られた２つの導電部８ａ，８ａと、２つの導電部８ａ，８ａの間に設けられ絶縁体で作られた絶縁部８ｂとを備えている。アクセサリ６を基板１から取り外したときに、当接部材８の導電部８ａは、付勢部材１０の付勢力により、入力端子２及び出力端子３に接する。これによって、入力端子２及び出力端子３、当接部材８の導電部８ａ、付勢部材１０、補助減衰器７が電気的に接続されることになる。
【００１８】
付勢部材１０は、当接部材８の導電部８ａを、入力端子２及び出力端子３に電気的に接続する方向（上方向）に付勢する。
【００１９】
一方、アクセサリ６は、入力端子２及び出力端子３に抜き差しされる棒状の２つの導電端子４と、その導電端子４を介して入力端子２に入力された信号を所定のレベルに減衰して出力端子３から出力するための、第１のレベル調整手段の一例となる主減衰器５と、アクセサリ６の下部に設けられ、主減衰器５が入力端子２及び出力端子３に電気的に接続されているときに、その先端部が当接部材８の絶縁部８ｂに当接して、当接部材８の導電部８ａを入力端子２及び出力端子３から離脱させる棒状の２つの離脱部材９、９と、を有する。
【００２０】
離脱部材９は、基板１に取り付けられたガイドソケット１１内に出入り可能に挿入される。
【００２１】
なお、主減衰器５、補助減衰器７は、例えば周波数に無関係に信号レベルを所定レベルずつ減衰させるものである。
【００２２】
次に、本発明の信号レベル調整装置の動作を説明する。
【００２３】
通常時では、図１（Ａ）及び（Ｂ）に示すように、アクセサリ６の導電端子４を入力端子２及び出力端子３内に差し込み、入力端子２に入力された高周波信号はアクセサリ６内の主減衰器５によって所定のレベルに減衰して出力端子３から出力され、増幅部（図示せず）に伝送される。その際、アクセサリ６の離脱部材９はガイドソケット１１内に挿入され、付勢部材１０の付勢力に抗って、その先端部が当接部材８の絶縁部８ｂに当接しているので、当接部材８の導電部８ａは入力端子２及び出力端子３から離脱している。
【００２４】
信号レベル調整するために、アクセサリ６を交換する時では、図２に示すように、アクセサリ６の導電端子４を入力端子２及び出力端子３から抜き取り、アクセサリ６の離脱部材９を当接部材８の絶縁部８ｂから離脱させる。これによって、付勢部材１０の付勢力により、当接部材８は補助減衰器７側の端部を支点として上方向に回動し、当接部材８の導電部８ａは入力端子２及び出力端子３に当接し、電気的に接続される。従って、入力端子２に入力された高周波信号は、主減衰器５側から補助減衰器７側へ瞬時に流れが切り替わり、当接部材８の導電部８ａ、付勢部材１０を通り、補助減衰器７によって所定のレベルに減衰して、付勢部材１０、当接部材８の導電部８ａを通って、出力端子３から出力される。このように補助減衰器７により信号調整している間に主減衰器５の保守・改修等を済ませ、基板１にアクセサリ６を差し込んで、信号経路を主減衰器５側に戻す。
【００２５】
本発明によれば、信号レベル調整するためにアクセサリ６を交換している間、入力端子２から入力された信号は、当接部材８の導電部８ａを通り、補助減衰器７によって所定のレベルに減衰して出力端子３から出力されるので、信号の停止を無くすことができる。その結果、ケーブルテレビシステム等の信号レベル調整時や改修工事の時に、加入者への情報伝送サービスを中断することがなくなる。そのため、従来では改修工事等は夜間のように情報伝送サービスの提供の要求の少ない時間帯に行っていたが、本発明を用いることにより、時間を問わずに行えるため、システムの運用費用及び保守費用を大幅に削減することができる。
【００２６】
図３（Ａ）及び（Ｂ）は本発明の信号レベル調整装置の他の形態を説明するための説明図であり、（Ａ）は通常時の状態を示し、（Ｂ）はアクセサリの交換時の状態を示す。
【００２７】
図３に示すように、この形態における付勢部材２０は、当接部材８と補助減衰器７との間に取り付けられ、当接部材８を入力端子２及び出力端子３の方向（上方向）に付勢する導電性のコイルスプリングからなる。
【００２８】
通常時では、図３（Ａ）に示すように、アクセサリ６の導電端子４を入力端子２及び出力端子３内に差し込み、入力端子２に入力された高周波信号はアクセサリ６内の主減衰器５によって所定のレベルに減衰して出力端子３から出力され、増幅部（図示せず）に伝送される。その際、アクセサリ６の離脱部材９は当接部材８の絶縁部８ｂに当接しているので、当接部材８の導電部８ａは入力端子２及び出力端子３から離脱し、付勢部材２０は短縮した状態になっている。
【００２９】
信号レベル調整するために、アクセサリ６を交換する時では、図３（Ｂ）に示すように、アクセサリ６の導電端子４を入力端子２及び出力端子３から抜き取り、アクセサリ６の離脱部材９を当接部材８の絶縁部８ｂから離脱させる。これによって、付勢部材１０は伸長し、当接部材８の導電部８ａは入力端子２及び出力端子３に電気的に接続されるので、入力端子２に入力された高周波信号は当接部材８の導電部８ａ、付勢部材２０を通り、補助減衰器７によって所定のレベルに減衰して、付勢部材２０、当接部材８の導電部８ａを通って、出力端子３から出力される。
【００３０】
本発明は、上記実施の形態に限定されることはなく、特許請求の範囲に記載された技術的事項の範囲内において、種々の変更が可能である。例えば、当接部材８の導電部８ａと補助減衰器７とを電気的に接続する部材を別に設ければ、必ずしも付勢部材１０、２０を導電性の物質で作る必要はない。また、本発明の第１及び第２のレベル調整手段としては、例えば各周波数の信号レベルを一定にするレベル等価器等も含まれる。
【００３１】
【発明の効果】
本発明によれば、信号レベル調整するためにアクセサリを交換している間、入力端子から入力された信号は、当接部材の導電部を通り、第２のレベル調整手段によって所定のレベルに減衰して出力端子から出力されるので、信号の停止を無くすことができる。その結果、ケーブルテレビシステム等の信号レベル調整時や改修工事の時に、加入者への情報伝送サービスを中断することがなくなる。そのため、従来では改修工事等は夜間のように情報伝送サービスの提供の要求の少ない時間帯に行っていたが、本発明を用いることにより、時間を問わずに行えるため、システムの運用費用及び保守費用を大幅に削減することができる。
【図面の簡単な説明】
【図１】アクセサリを基板に取り付けた状態を示す本発明の信号レベル調整装置の構成を示す説明図であり、（Ａ）はその側面図、（Ｂ）はその正面図、（Ｃ）は当接部材を示す平面図である。
【図２】アクセサリを基板から取り外した状態を示す本発明の信号レベル調整装置の構成を示す説明図である。
【図３】（Ａ）及び（Ｂ）は本発明の信号レベル調整装置の他の形態を説明するための説明図である。
【符号の説明】
１：基板
２：入力端子
３：出力端子
４：導電端子
５：主減衰器
６：アクセサリ
７：補助減衰器
８：当接部材
８ａ：導電部
８ｂ：絶縁部
９：離脱部材
１０：付勢部材
１１：ガイドソケット
２０：付勢部材
【図１】
0003552025.tif 000002
【図２】
0003552025.tif 000003
【図３】
0003552025.tif 000004